【手続補正書】
【提出日】平成17年8月17日(2005.8.17)
【手続補正１】
【補正対象書類名】明細書
【補正対象項目名】特許請求の範囲
【補正方法】変更
【補正の内容】
【特許請求の範囲】
【請求項１】  下記（ａ）及び（ｂ）を含む、インボイサーからの自動作成された請求書の遠隔顧客の再調査を与えるための自動電子インボイス作成及び支払いシステム：
（ａ）  顧客再調査のための顧客請求書データを提示し、自動作成された請求書に関する支払い指示を前記顧客に要求するように適応されたインボイス提示電子構成要素；及び
（ｂ）  下記（ｉ）〜（ｉｖ）に適応された遠隔電子顧客認証インターフェース：
（ｉ）前記インボイス提示電子構成要素から顧客再調査のための顧客請求書データ及び支払い指示のための要求を受ける；（ｉｉ）顧客に顧客再調査のための顧客請求書データ及び支払い指示のための要求を与える；（ｉｉｉ）支払い指示のための要求に応答して顧客から顧客支払い指示を受ける；及び（ｉｖ）顧客から直接前記インボイサーに顧客支払い指示を送る（前記支払い指示は少なくとも顧客インボイス口座番号及び関連する顧客支払い口座を含む）。
【請求項２】  さらに支払い源を含み、前記インボイス提示電子構成要素が顧客の再調査後に支払い源に支払い指示を送るように適応されている請求項１記載のシステム。
【請求項３】  前記支払い源が情報センター（ｃｌｅａｒｉｎｇ  ｈｏｕｓｅ）である請求項２記載のシステム。
【請求項４】  前記情報センターがクーリエ（ｃｏｕｒｉｅｒ）である請求項３記載のシステム。
【請求項５】  前記情報センターが支払いネットワークである請求項３記載のシステム。
【請求項６】  前記支払い指示が送信日を含む請求項２記載のシステム。
【請求項７】  前記支払い指示が顧客関連金融機関から徴集する金額を含む請求項２記載のシステム。
【請求項８】  前記支払い指示が支払いを徴集するための顧客と関連する口座情報を含む請求項２記載のシステム。
【請求項９】  前記支払い指示が支払いを預金するためのインボイサーと関連する口座情報を含む請求項２記載のシステム。
【請求項１０】  前記請求書データがインボイサー請求書情報を含む請求項１記載のシステム。
【請求項１１】  前記請求書情報が支払い期日を含む請求項１０記載のシステム。
【請求項１２】  前記請求書情報が支払い金額を含む請求項１０記載のシステム。
【請求項１３】  前記請求書情報が請求期間中に提供される商品又はサービスのリストを含む請求項１０記載のシステム。
【請求項１４】  前記請求書情報が遅延料を含む請求項１０記載のシステム。
【請求項１５】  前記請求書情報が口座情報を含む請求項１０記載のシステム。
【請求項１６】  前記請求書データが顧客情報を含む請求項１記載のシステム。
【請求項１７】  前記顧客情報が顧客名を含む請求項１６記載のシステム。
【請求項１８】  前記顧客情報が顧客住所を含む請求項１６記載のシステム。
【請求項１９】  前記顧客情報が顧客のための口座情報を含む請求項１６記載のシステム。
【請求項２０】  前記請求書データが顧客口座識別子を含む請求項１記載のシステム。
【請求項２１】  前記請求書データがインボイス識別子を含む請求項１記載のシステム。
【請求項２２】  前記インボイス提示電子構成要素が顧客請求書に関するインボイス情報及び支払いが徴集されてもよい顧客と関連する金融機関に関する口座情報を含む請求項１記載のシステム。
【請求項２３】  前記インボイス提示電子構成要素が前記口座情報に述べられた口座からの前記請求書情報に述べられた請求金額の自動支払いのための予備認証支払い指示をさらに含む請求項２２記載のシステム。
【請求項２４】  前記インボイス提示電子構成要素からの支払い指示のための要求が予備認証支払い指示が提示された請求書データについて望ましいものかどうかを顧客に問い合わせる請求項２３記載のシステム。
【請求項２５】  前記インボイス提示電子構成要素からの支払い指示のための要求が予備認証支払い指示が提示された請求書データについて変更を必要とするかどうかを顧客に問い合わせる請求項２３記載のシステム。
【請求項２６】  前記顧客認証インターフェースが予備認証支払い指示を変更するためのエディタを含む請求項２３記載のシステム。
【請求項２７】  口座情報が複数の金融機関からの口座情報を含み、支払い指示のための要求が関連顧客請求書のための支払いを徴集する金融機関を選択することを顧客に問い合わせる請求項２２記載のシステム。
【請求項２８】  前記インボイス提示電子構成要素が前記関連顧客請求書のための支払いを徴集する金融機関を識別する予備認証デフォルトを含む請求項２７記載のシステム。
【請求項２９】  前記電子顧客認証インターフェースが予備認証デフォルトを許容するための顧客入力を受けるように適応されている請求項２８記載のシステム。
【請求項３０】  前記電子顧客認証インターフェースが予備認証デフォルトを変更するための顧客入力を受けるように適応されている請求項２８記載のシステム。
【請求項３１】  前記支払い指示のための要求が支払い金額、支払時期、支払いを徴集する口座からなる群から選択された請求書情報を含む請求項１記載のシステム。
【請求項３２】  前記顧客認証インターフェースが支払い金額、支払時期及び支払いを徴集する口座からなる１以上の群を変えるために請求書情報を変更するように適応されている請求項３１記載のシステム。
【請求項３３】  前記請求書データが顧客に対する通知を含む請求項１記載のシステム。
【請求項３４】  前記請求書データが顧客に向けられた広告情報を含む請求項１記載のシステム。
【請求項３５】  前記請求書データが制御情報を含む請求項１記載のシステム。
【請求項３６】  下記（ａ），（ｂ）及び（ｃ）を含む、インボイサーからの自動作成された請求書の遠隔顧客の再調査を与えるための自動電子インボイス作成及び支払いシステムのための遠隔電子顧客認証インターフェース：
（ａ）  前記インボイサーからの支払い指示のための要求及び顧客再調査のための顧客請求書データを受けるための手段；
（ｂ）  前記インボイサーからの前記支払い指示のための要求に応答して顧客からの顧客支払い指示を受けるための手段；及び
（ｃ）  顧客から直接前記インボイサーに顧客支払い指示を送るための手段（前記支払い指示は少なくとも顧客インボイス口座番号及び関連する顧客支払い口座を含む）。
【請求項３７】  前記支払い指示が支払いを徴集する日を含む請求項３６記載のシステム。
【請求項３８】  前記支払い指示がインボイスの金額を含む請求項３６記載のシステム。
【請求項３９】  前記インボイサーが前記請求書データ及び前記支払い指示のための要求を受けるために顧客アクセス可能サイトを与え、前記サイトが前記電子顧客認証インターフェースからアクセス可能である請求項３６記載のシステム。
【請求項４０】  前記顧客アクセス可能サイトがインターネットサイトであり、前記電子顧客認証インターフェースが前記顧客アクセス可能サイトをアクセスするためのブラウザを含む請求項３９記載のシステム。
【請求項４１】  前記電子顧客認証インターフェースが自動窓口機である請求項３９記載のシステム。
【請求項４２】  前記電子顧客認証インターフェースが遠隔キオスク（ｒｅｍｏｔｅ  ｋｉｏｓｋ）である請求項３９記載のシステム。
【請求項４３】  前記電子顧客認証インターフェースがパーソナルコンピューターである請求項３９記載のシステム。
【請求項４４】  前記電子顧客認証インターフェースが対話式テレビである請求項３９記載のシステム。
【請求項４５】  前記電子顧客認証インターフェースが電話である請求項３９記載のシステム。
【請求項４６】  前記電子顧客認証インターフェースがコンピューターであり、前記請求書データ及び前記支払い指示のための要求が電子メールによって顧客に提示され、顧客支払い指示が顧客電子メールによって与えられる請求項３９記載のシステム。
【請求項４７】  前記電子顧客認証インターフェースが前記請求書データ及び前記支払い指示のための要求を提示するためのディスプレイ及び顧客支払い指示を受けるための顧客実行可能入力を含む請求項３９記載のシステム。
【請求項４８】  前記電子顧客認証インターフェースが前記請求書データ及び前記支払い指示のための要求を提示するための音響電子構成要素及びスピーカ及び顧客支払い指示を受けるための顧客実行可能入力を含む請求項３９記載のシステム。
【請求項４９】  前記電子顧客認証インターフェースが前記請求書データ及び前記支払い指示のための要求を受けるために顧客が前記インボイス提示電子構成要素をポーリングすることができるように適応されている請求項３９記載のシステム。
【請求項５０】  下記（ａ），（ｂ）及び（ｃ）を含む、インボイサーからの自動作成された請求書の遠隔顧客の再調査を与えるための自動電子インボイス作成及び支払いシステム：
（ａ）  顧客再調査のための顧客請求書データを提示し、自動作成された請求書に関する支払い指示を前記顧客に要求するように適応されたインボイス提示電子構成要素；
（ｂ）  遠隔電子顧客認証インターフェース
（前記顧客インターフェースは顧客再調査のための顧客請求書データ及び前記インボイサーからの支払い指示のための要求を受けるための手段；前記インボイサーからの前記支払い指示のための要求に応答して顧客から顧客支払い指示を受けるための手段；及び顧客から前記インボイサーに顧客支払い指示を送るための手段を含み、
前記インターフェースは（ｉ）前記インボイス提示電子構成要素から顧客再調査のための顧客請求書データ及び支払い指示のための要求を受ける；（ｉｉ）顧客に顧客再調査のための顧客請求書データ及び支払い指示のための要求を与える；（ｉｉｉ）支払い指示のための要求に応答して顧客から顧客支払い指示を受ける；及び（ｉｖ）顧客から直接前記インボイサーに顧客支払い指示を送るように適応され、
前記支払い指示は少なくとも顧客インボイス口座番号及び関連する顧客支払い口座を含む）；及び
（ｃ）  支払い源（前記インボイス提示電子構成要素は顧客の再調査後に支払い源に支払い指示を送るように適応されている）。
【請求項５１】  前記支払い源が情報センターである請求項５０記載のシステム。
【請求項５２】  前記情報センターがクーリエである請求項５１記載のシステム。
【請求項５３】  前記情報センターが支払いネットワークである請求項５１記載のシステム。
【請求項５４】  前記支払い指示が送信日を含む請求項５０記載のシステム。
【請求項５５】  前記支払い指示が顧客関連金融機関から徴集する金額を含む請求項５０記載のシステム。
【請求項５６】  前記支払い指示が支払いを徴集するための顧客と関連する口座情報を含む請求項５０記載のシステム。
【請求項５７】  前記支払い指示が支払いを預金するためのインボイサーと関連する口座情報を含む請求項５０記載のシステム。
【請求項５８】  前記請求書データがインボイサー請求書情報を含む請求項５０記載のシステム。
【請求項５９】  前記請求書情報が支払い期日を含む請求項５８記載のシステム。
【請求項６０】  前記請求書情報が支払い金額を含む請求項５８記載のシステム。
【請求項６１】  前記請求書情報が請求期間中に提供される商品又はサービスのリストを含む請求項５８記載のシステム。
【請求項６２】  前記請求書情報が遅延料を含む請求項５８記載のシステム。
【請求項６３】  前記請求書情報が口座情報を含む請求項５８記載のシステム。
【請求項６４】  前記請求書データが顧客情報を含む請求項５０記載のシステム。
【請求項６５】  前記顧客情報が顧客名を含む請求項６４記載のシステム。
【請求項６６】  前記顧客情報が顧客住所を含む請求項６４記載のシステム。
【請求項６７】  前記顧客情報が顧客のための口座情報を含む請求項６４記載のシステム。
【請求項６８】  前記請求書データが顧客口座識別子を含む請求項５０記載のシステム。
【請求項６９】  前記請求書データがインボイス識別子を含む請求項５０記載のシステム。
【請求項７０】  前記インボイス提示電子構成要素が顧客請求書に関するインボイス情報及び支払いが徴集されてもよい顧客と関連する金融機関に関する口座情報を含む請求項５０記載のシステム。
【請求項７１】  前記インボイス提示電子構成要素が前記口座情報に述べられた口座からの前記請求書情報に述べられた請求金額の自動支払いのための予備認証支払い指示をさらに含む請求項７０記載のシステム。
【請求項７２】  前記インボイス提示電子構成要素からの支払い指示のための要求が予備認証支払い指示が提示された請求書データについて望ましいものかどうかを顧客に問い合わせる請求項７１記載のシステム。
【請求項７３】  前記インボイス提示電子構成要素からの支払い指示のための要求が予備認証支払い指示が提示された請求書データについて変更を必要とするかどうかを顧客に問い合わせる請求項７１記載のシステム。
【請求項７４】  前記顧客認証インターフェースが予備認証支払い指示を変更するためのエディタを含む請求項７１記載のシステム。
【請求項７５】  口座情報が複数の金融機関からの口座情報を含み、支払い指示のための要求が関連顧客請求書のための支払いを徴集する金融機関を選択することを顧客に問い合わせる請求項７０記載のシステム。
【請求項７６】  前記インボイス提示電子構成要素が前記関連顧客請求書のための支払いを徴集する金融機関を識別する予備認証デフォルトを含む請求項７５記載のシステム。
【請求項７７】  前記電子顧客認証インターフェースが予備認証デフォルトを許容するための顧客入力を受けるように適応されている請求項７６記載のシステム。
【請求項７８】  前記電子顧客認証インターフェースが予備認証デフォルトを変更するための顧客入力を受けるように適応されている請求項７６記載のシステム。
【請求項７９】  前記支払い指示のための要求が支払い金額、支払時期、支払いを徴集する口座からなる群から選択された請求書情報を含む請求項５０記載のシステム。
【請求項８０】  前記電子顧客認証インターフェースが支払い金額、支払時期及び支払いを徴集する口座からなる１以上の群を変えるために請求書情報を変更するように適応されている請求項７９記載のシステム。
【請求項８１】  前記請求書データが顧客に対する通知を含む請求項５０記載のシステム。
【請求項８２】  前記請求書データが顧客に向けられた広告情報を含む請求項５０記載のシステム。
【請求項８３】  前記請求書データが制御情報を含む請求項５０記載のシステム。
【請求項８４】  前記支払い指示が支払いを徴集するための日を含む請求項５０記載のシステム。
【請求項８５】  前記支払い指示がインボイスの金額を含む請求項５０記載のシステム。
【請求項８６】  前記インボイサーが前記請求書データ及び前記支払い指示のための要求を受けるために顧客アクセス可能サイトを与え、前記サイトが前記電子顧客認証インターフェースからアクセス可能である請求項５０記載のシステム。
【請求項８７】  前記顧客アクセス可能サイトがインターネットサイトであり、前記電子顧客認証インターフェースが前記顧客アクセス可能サイトをアクセスするためのブラウザを含む請求項８６記載のシステム。
【請求項８８】  前記電子顧客認証インターフェースが自動窓口機である請求項８６記載のシステム。
【請求項８９】  前記電子顧客認証インターフェースが遠隔キオスクである請求項８６記載のシステム。
【請求項９０】  前記電子顧客認証インターフェースがパーソナルコンピューターである請求項８６記載のシステム。
【請求項９１】  前記電子顧客認証インターフェースが対話式テレビである請求項８６記載のシステム。
【請求項９２】  前記電子顧客認証インターフェースが電話である請求項８６記載のシステム。
【請求項９３】  前記電子顧客認証インターフェースがコンピューターであり、前記請求書データ及び前記支払い指示のための要求が電子メールによって顧客に提示され、顧客支払い指示が顧客電子メールによって与えられる請求項８６記載のシステム。
【請求項９４】  前記電子顧客認証インターフェースが前記請求書データ及び前記支払い指示のための要求を提示するためのディスプレイ及び顧客支払い指示を受けるための顧客実行可能入力を含む請求項８６記載のシステム。
【請求項９５】  前記電子顧客認証インターフェースが前記請求書データ及び前記支払い指示のための要求を提示するための音響電子構成要素及びスピーカ及び顧客支払い指示を受けるための顧客実行可能入力を含む請求項８６記載のシステム。
【請求項９６】  前記電子顧客認証インターフェースが前記請求書データ及び前記支払い指示のための要求を受けるために顧客が前記インボイス提示電子構成要素をポーリングすることができるように適応されている請求項８６記載のシステム。
【請求項９７】  下記（ａ），（ｂ）及び（ｃ）の工程を含む、インボイサーからの自動作成された請求書の遠隔顧客の再調査を与えるための自動電子インボイス作成及び支払いシステムのためのコンピューター化された方法：
（ａ）  インボイス提示電子構成要素を使用して、顧客再調査のための顧客請求書データを提示し、自動作成された請求書に関する支払い指示を前記顧客に要求する；
（ｂ）  遠隔電子顧客認証インターフェースを使用して、前記インボイス提示電子構成要素から前記顧客への支払い指示のための要求及び顧客再調査のための顧客請求書データを受ける；及び
（ｃ）  前記インボイサーへの直接支払い指示のための要求に応答して顧客から顧客支払い指示を与える（前記支払い指示は少なくとも顧客インボイス口座番号及び関連する顧客支払い口座を含む）。
【請求項９８】  下記（ａ），（ｂ）及び（ｃ）の工程を含む、遠隔電子顧客認証インターフェースを使用してインボイサーから自動作成された請求書の遠隔顧客の再調査を与えるための自動電子インボイス作成及び支払いシステムのためのコンピューター化された方法：
（ａ）  前記インボイサーからの支払い指示のための要求及び顧客再調査のための顧客請求書データを受ける；
（ｂ）  前記インボイサーからの支払い指示のための要求に応答して顧客から顧客支払い指示を受ける；及び
（ｃ）  顧客から直接前記インボイサーに顧客支払い指示を送る（前記支払い指示は少なくとも顧客インボイス口座番号及び関連する顧客支払い口座を含む）。
【請求項９９】  下記（ａ），（ｂ）及び（ｃ）の工程を含む、インボイサーからの自動作成された請求書の遠隔顧客の再調査を与えるための自動電子インボイス作成及び支払いシステムのためのコンピューター化された方法：
（ａ）  インボイス提示電子構成要素を使用して、顧客再調査のための顧客請求書データを提示し、自動作成された請求書に関する支払い指示を前記顧客に要求する；
（ｂ）  遠隔電子顧客認証インターフェースを使用して支払いを認証する（前記顧客インターフェースは前記インボイサーからの支払い指示のための要求及び顧客再調査のための顧客請求書データを受けるための手段；前記インボイサーからの支払い指示のための前記要求に応答して顧客から顧客支払い指示を受けるための手段；及び顧客から前記インボイサーに顧客支払い指示を送るための手段を含み、
前記インターフェースは（ｉ）前記インボイス提示電子構成要素から顧客再調査のための顧客請求書データ及び支払い指示のための要求を受ける；（ｉｉ）顧客に顧客再調査のための顧客請求書データ及び支払い指示のための要求を与える；（ｉｉｉ）支払い指示のための要求に応答して顧客から顧客支払い指示を受ける；及び（ｉｖ）顧客から直接前記インボイサーに顧客支払い指示を送るように適応され、
前記支払い指示は少なくとも顧客インボイス口座番号及び関連する顧客支払い口座を含む）；
（ｃ）  前記インボイス提示電子構成要素を使用して顧客の再調査後に支払い源に支払い指示を送る。